(57)【特許請求の範囲】
【請求項１】
フォーカスレンズの駆動量を入力するための操作量が可変で、前記フォーカスレンズの駆動の微調整を行うための第１の操作部材と、前記操作量が固定され、前記フォーカスレンズの駆動の粗調整を行うための第２の操作部材が同一の指で同時に操作できる位置に配置され、前記第１の操作部材と第２の操作部材の前記操作量に応じて前記フォーカスレンズの駆動を制御する撮像装置において、
前記第１の操作部材と前記第２の操作部材が同時に操作された場合に、前記第１の操作部材の操作を優先する制御を行う制御手段を備え、
前記制御手段は、前記第２の操作部材による操作量の入力を受け付けると、第１の所定時間の間、前記第１の操作部材による操作量の入力を無効にし、前記第１の操作部材による操作量の入力を受け付けると、前記第１の所定時間より長い第２の所定時間の間、前記第２の操作部材による操作量の入力を無効にすることを特徴とする撮像装置。
【請求項２】
前記第１の操作部材は、回転軸の周りを回転する回転機構を備え、回転量、回転速度及び回転方向により発生するパルスに基づいて前記操作量を入力することを特徴とする請求項１記載の撮像装置。
【請求項３】
前記第２の操作部材は、入力のオン及びオフの状態が判別可能なスイッチ機構を備え、前記スイッチ機構のオン及びオフにより前記操作量を入力することを特徴とする請求項１記載の撮像装置。
【請求項４】
前記第１の操作部材の前記回転機構の内側に前記第２の操作部材が配置されていることを特徴とする請求項２記載の撮像装置。
【請求項５】
フォーカスレンズを含む制御対象の制御量を入力するための操作量が可変で、前記制御対象の微調整を行うための第１の操作部材と、前記操作量が固定され、前記制御対象の粗調整を行うための第２の操作部材が同一の指で同時に操作できる位置に配置され、前記第１の操作部材と第２の操作部材の前記操作量に応じて前記制御対象を制御する撮像装置において、
制御対象を切り替える切替手段と、
前記第１の操作部材と前記第２の操作部材が同時に操作された場合に、前記第１の操作部材の操作を優先する第１のモードと、先に操作された操作部材の操作を優先する第２のモードとを制御対象に応じて選択する制御手段を備え、
前記第１のモードにおいて、前記制御手段は、前記第２の操作部材による操作量の入力を受け付けると、第１の所定時間の間、前記第１の操作部材による操作量の入力を無効にし、前記第１の操作部材による操作量の入力を受け付けると、前記第１の所定時間より長い第２の所定時間の間、前記第２の操作部材による操作量の入力を無効にし、
前記制御手段は、前記切替手段により制御対象が前記フォーカスレンズに切替えられた場合、前記第１のモードを選択することを特徴とする撮像装置。
【発明の詳細な説明】
【技術分野】
【０００１】
本発明は、操作者の操作により、焦点調節等の制御を行う撮像装置に関する。
【背景技術】
【０００２】
従来から、スチルカメラ、ビデオカメラ等の撮像装置においては、被写体の焦点調節を手動で行えるマニュアルフォーカス（ＭＦ）機能を備えたものが大半である。しかし、近年の撮像素子の多画素化やハイビジョン化に伴い画像が高精細になっているため、手動でフォーカスを調節する際には、より細かな焦点調節が必要となってきている。
【０００３】
従来、ＭＦ操作の操作手段として、キー操作を行うキースイッチやタッチパネル等と、フォーカスリングやダイヤル、ホイール等の回転部材が製品化されている。
【０００４】
キー操作は、オンとオフの固定された２種類の操作量しか入力できないため、押し続けて一気にピントを移動させることは容易であるが、微妙なピント合わせを行うには、細かい操作を繰り返し行う必要があり、操作が煩わしい。
【０００５】
また、リングやホイール等は回転量や回転速度で操作量を可変にできるため、微妙なピント合わせに適している。しかし、ピントを細かく操作できるように操作量に対するピント変化量を小さくした場合、大きくピントを動かすときの操作量が多くなり、素早いピント合わせがしにくいといった問題点がある。
【０００６】
そこで、キーとホイールの両方を有し、ピント合わせの粗調整をする際にはキーを操作、微調整をする際にはホイールを操作する、といった使い分けを可能とすることで、双方のメリットを生かした使いやすい操作手段を提供することができる。
【０００７】
一方、近年の撮像装置は、携帯性向上のため小型化が進んでいるため、キーやホイールをできるだけ小さい面積に配置する必要がある。そこで、配置する面積を小さくし、かつ２種類の操作が同一の指でできるように、ホイールとその内側にキーを配置した情報入力装置が提案されている（特許文献１参照）。
【０００８】
この文献で提案されている情報入力装置は、同一の指、例えば右手親指でキーとホイールが操作できるようになっている。そのため、誤って意図しない方の操作手段を操作してしまうことを防ぐために、どちらか一方が操作されている間は、他方の操作を無視するようにもしている。
【特許文献１】特開平１０−１４８７５１号公報
【発明の開示】
【発明が解決しようとする課題】
【０００９】
しかしながら、上記従来例を上記のＭＦ操作に適用した場合、以下の問題がある。即ち、フォーカスを微調整しようとしてホイールを操作する際に、気づかずに誤ってキー操作も同時にしてしまっているとホイールの操作が無視され、大きくピントがずれてしまい、意図するＭＦ操作ができないという問題がある。
【００１０】
上記のように撮像装置の小型化が進むのに伴い、キーとホイールが小さく狭い範囲に配置される傾向があるため、上記の問題は頻繁に起こり得ることから、ＭＦの操作性を大きく損なってしまう。
【００１１】
本発明の目的は、ＭＦの微調整と粗調整の両方ができ、誤ってキーとホイールを同時に操作した場合でも操作者の意図したＭＦ操作を行うことができるようにした撮像装置を提供することにある。
【課題を解決するための手段】
【００１２】
上記目的を達成するために、請求項１記載の撮像装置は、フォーカスレンズの駆動量を入力するための操作量が可変で、前記フォーカスレンズの駆動の微調整を行うための第１の操作部材と、前記操作量が固定され、前記フォーカスレンズの駆動の粗調整を行うための第２の操作部材が同一の指で同時に操作できる位置に配置され、前記第１の操作部材と第２の操作部材の前記操作量に応じて前記フォーカスレンズの駆動を制御する撮像装置において、前記第１の操作部材と前記第２の操作部材が同時に操作された場合に、前記第１の操作部材の操作を優先する制御を行う制御手段を備え、前記制御手段は、前記第２の操作部材による操作量の入力を受け付けると、第１の所定時間の間、前記第１の操作部材による操作量の入力を無効にし、前記第１の操作部材による操作量の入力を受け付けると、前記第１の所定時間より長い第２の所定時間の間、前記第２の操作部材による操作量の入力を無効にすることを特徴とする。
【００１３】
上記目的を達成するために、請求項５記載の撮像装置は、フォーカスレンズを含む制御対象の制御量を入力するための操作量が可変で、前記制御対象の微調整を行うための第１の操作部材と、前記操作量が固定され、前記制御対象の粗調整を行うための第２の操作部材が同一の指で同時に操作できる位置に配置され、前記第１の操作部材と第２の操作部材の前記操作量に応じて前記制御対象を制御する撮像装置において、制御対象を切り替える切替手段と、前記第１の操作部材と前記第２の操作部材が同時に操作された場合に、前記第１の操作部材の操作を優先する第１のモードと、先に操作された操作部材の操作を優先する第２のモードとを制御対象に応じて選択する制御手段を備え、前記第１のモードにおいて、前記制御手段は、前記第２の操作部材による操作量の入力を受け付けると、第１の所定時間の間、前記第１の操作部材による操作量の入力を無効にし、前記第１の操作部材による操作量の入力を受け付けると、前記第１の所定時間より長い第２の所定時間の間、前記第２の操作部材による操作量の入力を無効にし、前記制御手段は、前記切替手段により制御対象が前記フォーカスレンズに切替えられた場合、前記第１のモードを選択することを特徴とする。
【発明の効果】
【００１４】
本発明によれば、例えば、撮像装置の場合、ＭＦの微調整と粗調整の両方ができ、誤ってキーとホイールを同時に操作した場合でも操作者の意図したＭＦ操作を行うことができる。
【発明を実施するための最良の形態】
【００１５】
以下、本発明の実施の形態を図面を参照しながら詳細に説明する。
【００１６】
（第１の実施の形態）
図１は、本発明の第１の実施の形態に係る撮像装置の概略構成図である。
【００１７】
図１において、本撮像装置は、固定されている第１固定レンズ群１０１、変倍を行うズームレンズ１０２、絞り１０３、固定されている第２固定レンズ群１０４を備える。
【００１８】
また、本撮像装置は、焦点調節機能を兼ね備えたフォーカスレンズ（撮像光学系の焦点調節レンズ群）１０５、撮像素子１０６、カメラ信号処理回路１０７、モニタ装置１０８、記録装置１０９、フォーカスレンズ１０５を駆動するフォーカス駆動源１１０、カメラマイコン１１１、パルス発生装置１１２を備える。また、本撮像装置は、操作ホイール（第１の操作部材）１１３、操作キー（第２の操作部材）１１４を備える。
【００１９】
カメラ信号処理回路１０７は、撮像素子１０６の出力信号を、表示機能を持つモニタ装置１０８、記録装置１０９に対応した信号に変換する。モニタ装置１０８は、カメラ信号処理回路１０７で変換された映像信号を表示すると共に、撮影情報や操作情報等の情報表示機能も有する。記録装置１０９は、動画や静止画を記録し、記録媒体として磁気テープや半導体メモリが使われている。
【００２０】
カメラマイコン１１１は、操作ホイール１１３及び操作キー１１４の操作量に応じてフォーカス駆動源１１０を制御すると共に、カメラ信号処理回路１０７の出力信号の制御等を行う。
【００２１】
カメラマイコン１１１にはフォーカスレンズ１０５を至近方向、無限方向に移動させるための操作ホイール１１３と操作キー１１４が接続されており、これらを同時に操作することでＭＦ操作を行う。
【００２２】
操作ホイール１１３には、その回転量や回転速度、回転方向に応じてパルスを発生させるパルス発生装置１１２が接続されている。カメラマイコン１１１は、操作ホイール１１３が操作された時にそのパルスを検出し、検出したパルスに応じてフォーカスレンズ１０５の駆動方向や駆動速度を決定する。
【００２３】
操作キー１１４は、押し操作可能なスイッチ機構（入力のオン及びオフの状態が判別可能なスイッチ機構）を有している。カメラマイコン１１１は、押下されたスイッチに応じてフォーカスレンズ１０５を至近方向あるいは無限方向に移動するようにフォーカス駆動源１１０を駆動させる。
【００２４】
第１の操作部材としての操作ホイール１１３は、制御対象であるフォーカスレンズ１０５の制御量を入力するための操作量が可変である。また、第２の操作部材としての操作キー１１４は操作量が固定されている。
【００２５】
図２は、図１における操作ホイールと操作キーの配置関係を示す概略図である。
【００２６】
本実施の形態では、操作ホイール１１３は、液晶ディスプレイ等のモニタ装置１０８の横に配置している。モニタ装置１０８は、カメラ（撮像装置）本体にヒンジ等を用いて取り付けられ、左側に展開可能な機構を有しており、カメラ本体を右手で保持し、左手の親指（点線で図示）で操作できるような位置に操作ホイール１１３が設けられる。
【００２７】
操作ホイール１１３は、モニタ装置１０８と直交する方向に回転軸を有する回転機構を有するホイールである。本実施の形態では、操作ホイール１１３は、操作ホイール１１３を右回転させるとフォーカスレンズ１０５を無限方向へ、左回転させると至近方向へと駆動させるように構成されている。
【００２８】
尚、操作ホイール１１３の回転方向とフォーカスレンズ１０５の駆動方向の対応は必要に応じて切り替えるようにしてもよい。
【００２９】
また、操作キー１１４は、操作ホイール１１３の内側に配置されており、図３に示すように、入力位置を十字方向にそれぞれ９０度ずつずらした操作キー１１４ａ、１１４ｂ、１１４ｃ、１１４ｄと中央部の操作キー１１４ｅとを有する。操作キー１１４は、操作ホイール１１３と同様に、カメラ本体を保持した状態で、左手の親指により操作できるようになっている。
【００３０】
本実施の形態では、操作キー１１４ｂを押すとフォーカスレンズ１０５を無限方向へ、操作キー１１４ｄを押すと至近方向へと駆動させるように構成されている。尚、本実施の形態では、左右方向の操作キー１１４ｂと１１４ｄのみを使用してＭＦ操作をする。
【００３１】
しかし、この使用例に限らず、上下方向の操作キー１１４ａと１１４ｃを使用してＭＦ操作を行ったり、中央部の操作キー１１４ｅを押下することで、ピントを自動で合わせるオートフォーカス（ＡＦ）機能等の他の操作とＭＦ操作との切り替えを行ってもよい。
【００３２】
図４は、図１の撮像装置によって実行される操作ホイール及び操作キー同時操作時の処理の手順を示すフローチャートである。
【００３３】
具体的には、操作ホイール１１３及び操作キー１１４が同時に操作された場合に、操作ホイール１１３による入力を優先する処理のフローチャートである。
【００３４】
図４において、まず、ステップＳ１０１で、操作ホイール１１３が操作され信号変化があるか否かを判定し、信号変化がある場合はステップＳ１０２へ、信号変化がない場合はステップＳ１０５へ進む。
【００３５】
ステップＳ１０２では、操作キー１１４が操作中であるか否かを判別するフラグについて判定し、操作キー１１４が操作中でない場合はステップＳ１０３へ進み、操作中である場合はステップＳ１０９へ進む。
【００３６】
ステップＳ１０３では、操作ホイール１１３が操作中であることを示すフラグをオンにして、ステップＳ１０４へ進む。ステップＳ１０４において、操作キー１１４の入力を無効にする時間Ｔｋを設定し、ステップＳ１０９に進む。
【００３７】
また、ステップＳ１０５においては、操作キー１１４が操作され信号変化があるか否かを判定し、信号変化がある場合はステップＳ１０６へ、信号変化がない場合はステップＳ１０９へ進む。
【００３８】
ステップＳ１０６では、操作ホイール１１３が操作中であるか否かを判別するフラグについて判定し、操作ホイール１１３が操作中でない場合はステップＳ１０７へ進み、操作中である場合はステップＳ１０９へ進む。
【００３９】
ステップＳ１０７では、操作キー１１４が操作中であることを示すフラグをオンにして、ステップＳ１０８へ進む。ステップＳ１０８において、操作ホイール１１３の入力を無効にする時間Ｔｈを設定し、ステップＳ１０９に進む。
【００４０】
ここで、ホイール操作を無効にする時間Ｔｈは、ステップＳ１０４で設定する時間Ｔｋよりも小さい値を設定する。キー操作による入力信号は、キーが押されている間は常にオン状態であるのに対し、ホイール操作による入力信号は、ホイール回転中でもパルス信号が間欠的にしか送られないため、キー操作を無効にする時間を設定する必要がある。
【００４１】
また、操作キー１４の入力時において、ノイズ等により入力信号の断続を繰り返すチャタリングが起こった場合でも、操作キー１４の入力を受け付けるように無効時間Ｔｈを設定する。ホイール操作よりもキー操作の方が無効になっている時間を長く設定することで、ホイール操作が優先されることになる。
【００４２】
ステップＳ１０９では、ステップＳ１０４あるいはステップＳ１０８で設定した時間ＴｋあるいはＴｈが０であるか否かを判定し、０でない場合は、ステップＳ１１０にて操作無効時間をデクリメントし、ステップＳ１１１へ進む。
【００４３】
また、ステップＳ１０９でキー操作あるいはホイール操作による入力を無効にする時間が０である場合は、ステップＳ１１２に進み、ホイール操作中を示すフラグ及びキー操作中を示すフラグをオフにして処理を終了する。
【００４４】
ステップＳ１１１では、操作ホイール１１３、あるいは操作キー１１４の操作に応じて、フォーカスレンズ１０５を駆動させ、ＭＦ動作を行い、処理を終了する。これらのフローを所定時間毎、例えば映像の垂直同期信号に同期させて実行する。
【００４５】
図５は、図４のステップＳ１１１で実行されるＭＦ処理（ＭＦ動作）の手順を示すフローチャートである。
【００４６】
図５において、ステップＳ２０１では、フォーカスレンズ１０５の駆動速度を設定する。操作ホイール１１３の入力が受け付けられている場合は、操作ホイール１１３の回転速度に応じて駆動速度を設定する。また、操作キー１１４の入力が受け付けられている場合は、予め決められている固定の速度を設定する。
【００４７】
ここで、キー操作によるフォーカスレンズ１０５の駆動速度を、ホイール操作により設定される駆動速度より大きな値を設定することで、ＭＦの粗調整を行うことができる。ステップＳ２０２において、フォーカスレンズ１０５の駆動方向が無限方向であるか否かを判定する。
【００４８】
本実施の形態では、上記のように、操作ホイール１１３が右回転あるいは操作キー１１４が右方向に操作された場合、フォーカスレンズ１０５を無限方向に駆動するように設定する。また、操作ホイール１１３が左回転あるいは操作キー１１４が左方向に操作された場合、フォーカスレンズ１０５を至近方向に駆動するように設定する。
【００４９】
フォーカスレンズ１０５の駆動方向命令が至近方向である場合はステップＳ２０３へ、無限方向である場合はステップＳ２０４へ進む。ステップＳ２０３では、フォーカス駆動源１１０によりフォーカスレンズ１０５を至近方向へ駆動させる。ステップＳ２０４では、フォーカス駆動源１１０によりフォーカスレンズ１０５を無限方向へ駆動させる。
【００５０】
以上説明したような処理を行うことで、微調整を行う操作ホイール１１３と粗調整を行うキー１１４を誤って同時に操作した場合でも、ホイール操作を優先したＭＦ操作を行うことができる。その結果、大きくピントがずれたりすることなく操作者の意図したＭＦ操作を行うことができる。
【００５１】
（第２の実施の形態）
図６は、本発明の第２の実施の形態に係る撮像装置の概略構成図である。
【００５２】
第２の実施の形態に係る撮像装置は、第１の実施の形態の撮像装置の構成に加え、ホイール操作及びキー操作による制御対象を切り替えるモード切替スイッチ１１５を有する。その他の構成は第１の実施の形態と同様で同じ符号は同じ部材を表している。
【００５３】
図７は、図６の撮像装置によって実行されるモード切り替え処理の手順を示すフローチャートである。
【００５４】
図７において、ステップＳ３０１では、モード切替スイッチ１１５の状態がオンであるか否かを判定し、オンでない場合はステップＳ３０２へ、オンである場合はステップＳ３０３へ進む。
【００５５】
ステップＳ３０２では、図４に示す第１の実施の形態の操作ホイール入力優先処理（処理１）を行うものとする。また、ステップＳ３０３では、メニュー項目の遷移またはメニュー項目の選択等をするメニュー操作（処理２）を行う。メニュー操作モードの詳細について以下で述べる。
【００５６】
図８は、図６の撮像装置によって実行される操作ホイール及び操作キー同時操作時の処理の手順を示すフローチャートである。
【００５７】
具体的には、メニュー操作モード時において、操作ホイール１１３と操作キー１１４の両方が操作された場合のフローチャートである。ここで、ステップＳ４０１、４０２、４０３、・・・、４１１、４１２は、それぞれ第１の実施の形態におけるステップＳ１０１、１０２、１０３、・・・、１１１、１１２に対応するものとし、同様の処理を行うものとする。
【００５８】
但し、第２の実施の形態処理では、ホイール操作とキー操作の内、先に操作された方を優先して受け付けるようにするために、ステップＳ４０２の判定での遷移先が第１の実施の形態とは異なる。
【００５９】
ステップＳ４０２では、操作キー１１４が操作中であるか否かを判別するフラグについて判定し、操作キー１１４が操作中でない場合はステップＳ４０３へ進み、操作中である場合はキー操作信号に変化があるか否かを判定するステップＳ４０５へ進む。
【００６０】
ステップＳ４０５では、キー操作による信号変化の有無を判定し、変化がある場合には操作ホイール１１３が操作中であるか否かを判定するステップＳ４０６へ進む。
【００６１】
また、キー操作による信号変化がない場合は、操作無効時間を判定するステップＳ４０９へ進む。ステップＳ４０２及びステップＳ４０６において、操作ホイール１１３と操作キー１１４のそれぞれの操作状態を判定することで、他方の操作を排他的に無効にすることが可能となり、先に操作された方の入力を受け付けるようになる。
【００６２】
また、図４に示す第１の実施の形態の処理では、ステップＳ１０４、１０８において、キー操作を無効にする時間Ｔｋとホイール操作を無効にする時間ＴｈはＴｋ＞Ｔｈとなるように設定する。しかし、図８に示す第２の実施の形態の処理では、それぞれの優先度を同等にするために、ステップＳ４０４、４０８で設定する無効時間Ｔｋ′とＴｈ′は、Ｔｋ′＝Ｔｈ′となるように設定する。
【００６３】
ステップＳ４１１では、操作ホイール１１３、あるいは操作キー１１４の操作に応じて、メニュー選択等のメニュー操作を行い、処理を終了する。メニュー操作では、操作ホイール１１３の回転方向に応じてメニュー項目の遷移方向を切り替え、あるいは、操作キー１１４の入力位置に応じてメニュー項目の遷移を行う。これらのフローを第１の実施の形態と同様に、所定時間毎、例えば、映像の垂直同期信号に同期させて実行する。
【００６４】
以上説明したような処理を行うことで、ホイール操作を優先するモードと、先に操作した方を優先するモードとの切り替えが行え、後者のモードにした場合には、操作者はどちらの操作手段を操作しているかを意識することなくメニュー操作等が行えるようになる。
【００６５】
本実施の形態では、ホイール操作を優先するモードとしてＭＦ操作モード（第１のモード）を、先に操作された方を優先するモードとしてメニュー操作モード（第２のモード）を設定するように説明してきた。しかし、これらに限らず、撮影情報、例えば被写体の露出補正や測距点の選択等に設定してもよい。
【図面の簡単な説明】
【００６６】
【図１】本発明の第１の実施の形態に係る撮像装置の概略構成図である。
【図２】図１における操作ホイールと操作キーの配置関係を示す概略図である。
【図３】図２における操作キーの詳細を示す図である。
【図４】図１の撮像装置によって実行される操作ホイール及び操作キー同時操作時の処理の手順を示すフローチャートである。
【図５】図４のステップＳ１１１で実行されるＭＦ処理（ＭＦ動作）の手順を示すフローチャートである。
【図６】本発明の第２の実施の形態に係る撮像装置の概略構成図である。
【図７】図６の撮像装置によって実行されるモード切り替え処理の手順を示すフローチャートである。
【図８】図６の撮像装置によって実行される操作ホイール及び操作キー同時操作時の処理の手順を示すフローチャートである。
【符号の説明】
【００６７】
１０１  第１固定レンズ群
１０２  ズームレンズ
１０３  絞り
１０４  第２固定レンズ群
１０５  フォーカスレンズ
１０６  撮像素子
１０７  カメラ信号処理回路
１０８  モニタ装置
１０９  記録装置
１１０  フォーカス駆動源
１１１  カメラマイコン
１１２  パルス発生装置
１１３  操作ホイール
１１４  操作キー
１１５  モード切替スイッチ
【図１】
0005213379.tif 000002
【図２】
0005213379.tif 000003
【図３】
0005213379.tif 000004
【図４】
0005213379.tif 000005
【図５】
0005213379.tif 000006
【図６】
0005213379.tif 000007
【図７】
0005213379.tif 000008
【図８】
0005213379.tif 000009